(57)【要約】【課題】リン脂質類似重合体に由来するスキンケア性を十分に発揮させることができ、かつ、トップシートの通液性にも優れ、通液性を所望のレベルに制御することが可能な吸収性物品を提供する。【解決手段】吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０とを備え、トップシート１８の少なくとも一部が、リン脂質極性基を有するリン脂質類似重合体を繊維表面に付着させたスキンケア性繊維５０と、親水化剤を繊維表面に付着させた親水性繊維５２と、を混合して構成されたシートである吸収性物品１Ａ。【選択図】図１Ｂ
2009254662.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートとを備え、
前記トップシートの少なくとも一部が、リン脂質極性基を有するリン脂質類似重合体を繊維表面に付着させたスキンケア性繊維と、親水化剤を繊維表面に付着させた親水性繊維と、を混合して構成されたシートである吸収性物品。
【請求項２】
前記トップシートは、前記スキンケア性繊維と前記親水性繊維とを１０：９０〜７０：３０の質量比で混合して構成されたものである請求項１に記載の吸収性物品。
【請求項３】
前記トップシートは、複数のシートが積層された複層シートとして構成され、
着用者の肌と接触する最上層シートが、前記スキンケア性繊維と、前記親水性繊維と、を混合して構成されたシートである請求項１又は２に記載の吸収性物品。
【請求項４】
前記最上層シートは、前記スキンケア性繊維と前記親水性繊維とを３０：７０〜９０：１０の質量比で混合して構成されたものである請求項３に記載の吸収性物品。
【請求項５】
前記トップシート又は前記最上層シートは、前記スキンケア性繊維と前記親水性繊維とが混合状態で集積され、繊維同士が熱融着によって結合されたものである請求項１〜４のいずれか一項に記載の吸収性物品。
【発明の詳細な説明】
【技術分野】
【０００１】
本発明は、吸収体、トップシート及びバックシートを備えた吸収性物品に関するものである。より具体的には、肌に優しく、吸水性、保湿性等に優れるリン脂質類似重合体をスキンケア成分として利用した吸収性物品に関するものである。
【背景技術】
【０００２】
一般に、使い捨ておむつ、尿パッドのような吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品は、トップシートが着用者の肌と接するように使用され、排泄物はトップシートの液透過性部分を透過して吸収体に吸収・保持される。そして、吸収体の裏面側に配置された液不透過性のバックシートによって、排泄物が外部に漏洩することが防止される。
【０００４】
ところで、吸収性物品は、着用者の肌に対して直接接触する物品であるため、刺激が少なく肌に優しい素材で構成されていることが好ましい。例えば、着用者の肌に接触するトップシート等にリン脂質等のスキンコンディショニング剤を付着させる技術が開示されている（特許文献１参照）。
【０００５】
また、天然物であるリン脂質の代替品として、リン脂質の構造を模擬したリン脂質類似重合体からなる繊維処理剤組成物が提案されている（特許文献２及び３参照）。
【０００６】
更に、前記リン脂質類似重合体と吸湿剤とをパディングにより付着させた不織布でトップシートを構成した吸収性物品も開示されている（特許文献４参照）。
【０００７】
【特許文献１】特開２００４−５３４０８９号公報
【特許文献２】特開２００２−３４８７７８号公報
【特許文献３】特開２００２−３４８７７９号公報
【特許文献４】特開２００４−２８５５４８号公報
【発明の開示】
【発明が解決しようとする課題】
【０００８】
しかしながら、特許文献４に記載の吸収性物品は、トップシートの通液性に劣る場合があり、所望のレベルの通液性に制御することが困難であるという面で解決すべき課題が残されていた。本発明は、前記リン脂質類似重合体に由来するスキンケア性を十分に発揮させることができ、かつ、トップシートの通液性にも優れ、通液性を所望のレベルに制御することが可能な吸収性物品を提供するものである。
【課題を解決するための手段】
【０００９】
本発明者は、前記のような従来技術の課題を解決するために鋭意検討した結果、特許文献４に記載の吸収性物品では、１）リン脂質類似重合体がトップシートの表面に広く分布するため、疎水性のリン脂質類似重合体によってトップシートの通液性が阻害されてしまう、２）吸湿剤が繊維表面の一部に局在化し、繊維表面全体に連続的に存在しない場合が考えられるため、親水性の領域がトップシートの厚さ方向に連続しておらず、スムーズに通液が進行しない、といった理由から、トップシートの通液性が低下し、通液性の制御も困難となることを見出した。
【００１０】
そして、トップシート等に対して、前記リン脂質類似重合体及び吸湿剤等の親水化剤を付着させるのではなく、予め前記リン脂質類似重合体を付着させた繊維と、親水化剤を付着させた繊維とを別々に形成した後に、この両繊維を混合してトップシート等を形成することによって、上記課題が解決されることに想到し、本発明を完成させた。具体的には、本発明により、以下の吸収性物品が提供される。
【００１１】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートとを備え、前記トップシートの少なくとも一部が、リン脂質極性基を有するリン脂質類似重合体を繊維表面に付着させたスキンケア性繊維と、親水化剤を繊維表面に付着させた親水性繊維と、を混合して構成されたシートである吸収性物品。
【００１２】
［２］  前記トップシートは、前記スキンケア性繊維と前記親水性繊維とを１０：９０〜７０：３０の質量比で混合して構成されたものである前記［１］に記載の吸収性物品。
【００１３】
［３］  前記トップシートは、複数のシートが積層された複層シートとして構成され、着用者の肌と接触する最上層シートが、前記スキンケア性繊維と、前記親水性繊維と、を混合して構成されたシートである前記［１］又は［２］に記載の吸収性物品。
【００１４】
［４］  前記最上層シートは、前記スキンケア性繊維と前記親水性繊維とを３０：７０〜９０：１０の質量比で混合して構成されたものである前記［３］に記載の吸収性物品。
【００１５】
［５］  前記トップシート又は前記最上層シートは、前記スキンケア性繊維と前記親水性繊維とが混合状態で集積され、繊維同士が熱融着によって結合されたものである前記［１］〜［４］のいずれかに記載の吸収性物品。
【発明の効果】
【００１６】
本発明の吸収性物品は、リン脂質類似重合体に由来するスキンケア性を十分に発揮させることができ、かつ、トップシートの通液性にも優れ、通液性を所望のレベルに制御することが可能である。
【発明を実施するための最良の形態】
【００１７】
以下、本発明の吸収性物品を実施するための最良の形態について、パンツ型使い捨ておむつ、テープ型使い捨ておむつの例により具体的に説明する。但し、本発明はその発明特定事項を備える吸収性物品（例えば、尿パッド等）を広く包含するものであり、以下の実施形態に限定されるものではない。
【００１８】
［１］定義等：
「パンツ型使い捨ておむつ」とは、例えば、図１Ａ〜図１Ｃに示す吸収性物品１Ａのように、前身頃２と後身頃６の対応する側縁２ａ，６ａ（２ｂ，６ｂ）同士を接合することによって、一つのウエスト周り開口部１０及び一対の脚周り開口部１２（１２ａ，１２ｂ）が形成され、予めパンツ型に構成された使い捨ておむつを意味するものとする。
【００１９】
また、「２ピースタイプ」とは、図１Ａ及び図１Ｂに示す吸収性物品１Ａのように、吸収体２２、トップシート１８及びバックシート２０がパッド状に一体化された吸収性本体１４と、着用者の身体を被包する外装部材１６とを備え、外装部材１６の内側に吸収性本体１４が配置・固定された形態を意味するものとする。
【００２０】
「テープ型使い捨ておむつ」とは、図２Ａ及び図２Ｂに示す吸収性物品１Ｂのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味するものとする。
【００２１】
「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２２】
［２］本発明の吸収性物品のトップシートの構成：
本発明の吸収性物品は、トップシートの構成に特徴がある。「トップシート」とは、少なくとも一部が液透過性材料からなり、吸収体の表面（おむつの装着時において着用者の肌側に位置する面）を被覆するように配置されるシートである。
【００２３】
本発明の吸収性物品は、図１Ａ〜図１Ｃに示す吸収性物品１Ａのように、トップシート１８の少なくとも一部が、リン脂質極性基を有するリン脂質類似重合体を繊維表面に付着させたスキンケア性繊維５０と、親水化剤を繊維表面に付着させた親水性繊維５２と、を混合して構成されたシートであるという構成を有する。
【００２４】
本発明の吸収性物品は、予めリン脂質類似重合体を付着させた繊維と、親水化剤を付着させた繊維とを別々に形成した後に、この両繊維を混合してトップシートを形成している。即ち、リン脂質類似重合体と親水化剤が別個の繊維に付着されている。
【００２５】
このようにすることで、疎水性のリン脂質類似重合体がトップシートの表面のみに面状に分布することがなく、トップシートの通液性を阻害し難くなる。また、親水化剤が繊維表面の一部のみならず、繊維表面全体に連続的に存在し、複数の親水性繊維によってトップシートの厚さ方向に親水性の領域が連続的に形成されるため、スムーズな通液が図られる。従って、リン脂質類似重合体に由来するスキンケア性を十分に発揮させることができ、かつ、トップシートの通液性にも優れ、通液性を所望のレベルに制御することが可能となる。本発明の構成は、疎水性のリン脂質類似重合体の配合量を増やし、トップシートのスキンケア性を高めたい場合に特に有効である。
【００２６】
［２−１］スキンケア性繊維：
「スキンケア性繊維」とは、リン脂質極性基を有するリン脂質類似重合体を繊維表面に付着させた繊維であり、トップシートの必須構成繊維の一つである。この繊維をトップシートの構成繊維とすることにより、トップシートにスキンケア性、吸水性、保湿性等を付与することができ、着用者の肌に優しい吸収性物品とすることができる。
【００２７】
「リン脂質類似重合体」とは、リン脂質を模擬して設計された、リン脂質極性基を有する重合体である。「リン脂質極性基」としては、例えば、ホスホリルコリン基、ホスホリルエタノールアミン基、ホスホリルセリン基、ホスホリルイノシトール基、ホスホリルグリセロール基等を挙げることができる。中でも、ホスホリルコリン基が好ましい。
【００２８】
「リン脂質類似重合体」としては、ホスホリルコリン基を有するメタクリル酸エステル系ポリマーが知られている。具体的には、ポリ２−メタクリロイルオキシエチルホスホリルコリン（「ＭＰＣポリマー」とも称される。）を主成分とする繊維加工剤が市販されている（例えば、日本油脂社製「リピジュア（登録商標）」等）。前記繊維加工剤は、本発明においても好適に用いることができる。
【００２９】
リン脂質類似重合体を付着させる繊維は特に限定されるものではなく、従来の吸収性物品、特にトップシートに用いられてきた繊維を用いることができる。例えば、ポリプロピレン（ＰＰ）、ポリエチレン（ＰＥ）、ポリエチレンテレフタレート（ＰＥＴ）、脂肪族ポリアミド（ＰＡ）等の熱可塑性樹脂からなる繊維を挙げることができる。
【００３０】
また、前記繊維としては、芯部よりも鞘部の融点（又は軟化点）が低い芯鞘繊維を用いることが好ましい。芯鞘繊維の構成材料としては、融点等の低い順からＰＥ、エチレンを共重合成分として配合したポリプロピレンコポリマー（ＣｏＰＰ）、ＰＰ、ＰＥＴ等を挙げることができる。これらの材料の中から、芯部よりも鞘部の融点等が低いものを適宜選択して用いればよい。中でも、芯部がＰＥＴ、鞘部がＰＥの芯鞘繊維を好適に用いることができる。この芯鞘繊維は、芯部よりも鞘部の融点が低くなっている。
【００３１】
繊維表面にリン脂質類似重合体を付着させる方法は特に制限されない。例えば、浸漬、スプレーコーティング、ロールコーティング（グラビア、フレキソ、ゲートロール等）の方法により繊維表面に付着させることができる。
【００３２】
付着量としては、繊維１００ｇに対して、リン脂質類似重合体を０．０２〜５ｇ付着させることが好ましく、０．１〜２ｇ付着させることがより好ましい。リン脂質類似重合体を０．０２ｇ以上付着させることにより、スキンケア性、吸水性、保湿性等をトップシートに付与することができる。一方、リン脂質類似重合体の付着量を５ｇ以下とすることにより、後の不織布化の工程で加工機を汚染する不具合を防止することができる。
【００３３】
なお、本発明においては、リン脂質類似重合体は繊維表面に付着されていればよく、繊維中心部まで浸透している必要はない。着用者の肌と接触する部分に付着していれば目的を果たすことができるからである。また、親水化剤が繊維内部に含浸されていても、リン脂質類似重合体が繊維表面を完全に覆っている場合や、繊維表面に予め親水化剤が付着された後に、リン脂質類似重合体が繊維表面を完全に覆っている場合も本発明の吸収性物品において、スキンケア性繊維として用いることができる。
【００３４】
［２−２］親水性繊維：
「親水性繊維」とは、親水化剤を繊維表面に付着させた繊維であり、トップシートの必須構成繊維の一つである。この繊維をトップシートの構成繊維とすることにより、着用者の尿や体液を透過させ得る液透過性をトップシートに付与することができる。
【００３５】
「親水化剤」としては、界面活性剤を用いることが好ましい。例えば、ポリオキシエチレンアルキルエーテル、脂肪酸ソルビタンエステル等のノニオン系界面活性剤；モノアルキル硫酸塩、アルキルポリオキシエチレン硫酸塩、アルキルベンゼンスルホン酸塩、モノアルキルリン酸塩等のアニオン系界面活性剤；アルキルトリメチルアンモニウム塩、ジアルキルジメチルアンモニウム塩、アルキルベンジルジメチルアンモニウム塩等のカチオン系界面活性剤；アルキルジメチルアミンオキシド、アルキルカルボキシベタイン等の両性界面活性剤；等を挙げることができる。
【００３６】
親水化剤を付着させる繊維は特に限定されるものではなく、リン脂質類似重合体の項で例示した繊維を用いることができる。芯部がＰＥＴ、鞘部がＰＥの芯鞘繊維を好適に用いることができる点についても同様である。
【００３７】
繊維表面に親水化剤を付着させる方法は特に制限されず、リン脂質類似重合体と同様に、浸漬、スプレーコーティング、ロールコーティング（グラビア、フレキソ、ゲートロール等）の方法を採用することができる。付着量としては、繊維１００ｇに対して、親水化剤を０，１〜２ｇ付着させることが好ましい。親水化剤を０．１ｇ以上付着させることにより、着用者の尿や体液を透過させ得る液透過性等をトップシートに付与することができる。一方、親水化剤の付着量を２ｇ以下とすることにより、トップシートが親水化剤でベタついてサラっとした触感を失ってしまったり、また、過剰な親水化剤によってトップシートの皮膚刺激性が高くなるという不具合を防止することができる。
【００３８】
なお、親水化剤も繊維表面に付着されていればよく、繊維中心部まで浸透している必要はない。
【００３９】
［２−３］スキンケア性繊維と親水性繊維との比率等：
トップシートは、スキンケア性繊維と親水性繊維とを１０：９０〜７０：３０の質量比で混合して構成されたものであることが好ましい。スキンケア性繊維と親水性繊維の総量に対して、スキンケア繊維を１０質量％以上配合することにより、スキンケア性、吸水性、保湿性等をトップシートに付与することができ、親水性繊維を３０質量％以上配合することにより、着用者の尿や体液を透過させ得る液透過性等をトップシートに付与することができる。
【００４０】
本発明の吸収性物品は、トップシートの少なくとも一部が、スキンケア性繊維と親水性繊維とを混合して構成されたシートとなっていればよい。即ち、トップシート全体が、スキンケア性繊維と親水性繊維とを混合して構成されたシートとなっていてもよいし、一部のみがそのような構成となっていてもよい。
【００４１】
トップシートの一部のみが、スキンケア性繊維と親水性繊維とを混合して構成されたシートとなっている例としては、図２Ｂに示す吸収性物品１Ｂのように、トップシート１８が、複数のシート（最上層シート５４、第２層シート５６、第３層シート５８）が積層された複層シートとして構成されており、着用者の肌と接触する最上層シート５４が、スキンケア性繊維５０と親水性繊維５２とを混合して構成されたシートであるものを挙げることができる。
【００４２】
この場合、最上層シートは、スキンケア性繊維と親水性繊維とを３０：７０〜９０：１０の質量比で混合して構成されたものであることが好ましい。スキンケア性繊維と親水性繊維の総量に対して、スキンケア繊維を３０質量％以上配合することにより、スキンケア性、吸水性、保湿性等をトップシートに付与することができ、親水性繊維を１０質量％以上配合することにより、着用者の尿や体液を透過させ得る液透過性等をトップシートに付与することができる。
【００４３】
また、本発明の吸収性物品は、トップシート又は最上層シートが、スキンケア性繊維と親水性繊維とが混合状態で集積され、繊維同士が熱融着によって結合されたものであることが好ましい。繊維同士が熱融着されていることによって、シート表面が毛羽立ちを起こし難くなり、また、繊維同士が繊維間に空隙を形成した状態で固着されるため、通気性や通液性が向上するという利点がある。
【００４４】
このように繊維同士を熱融着させる際には、スキンケア性繊維及び親水性繊維のベースとなる繊維を、芯部よりも鞘部の融点（又は軟化点）が低い芯鞘繊維とすることが好ましい。このような繊維は、熱風噴射等の熱処理によって鞘部のみを融解させ、繊維同士を熱融着させることが容易だからである。芯部と鞘部の融点差が大きく、鞘部のみを融解させ易いという理由から、芯部がＰＥＴ、鞘部がＰＥの芯鞘繊維用いることが好ましい。
【００４５】
［２−４］トップシートのその他の構成：
以上説明した部分を除き、本発明のトップシートも従前のトップシートと同様に構成することができる。
【００４６】
トップシートを構成する不織布の製造方法としては、エアースルー（カード熱風）、カードエンボス等の製法によって製造された従来公知のものを好適に用いることができる。
【００４７】
トップシートは、必ずしもトップシート全面が液透過性材料で構成されている必要はない。但し、裏面側に配置された吸収体に着用者の尿を吸収させるため、少なくとも一部が液透過性材料により構成されている必要があり、トップシートを平面的に見た場合に、少なくとも吸収体の表面近傍は液透過性材料により構成されていることが好ましい。
【００４８】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。例えば、テープ型使い捨ておむつにおいては、吸収体の表面部に配置されるトップシートと、サイドフラップの部分に配置されるサイドシートという２種類のシートによって着用者の肌と接する部分を構成する形態がよく利用される。
【００４９】
例えば、図２Ａ及び図２Ｂに示す吸収性物品１Ｂは、テープ型使い捨ておむつであり、おむつの幅方向中央部には液透過性材料からなるトップシート１８を配置し、おむつのサイドフラップ９部分には液の透過に対して抵抗性を示す通気撥水性材料からなるサイドシート１９を配置した例である。
【００５０】
通気撥水性シートとしては、カードエンボス、スパンボンド等の製法により製造された不織布であってもよいが、防水性の高いＳＭＳ、ＳＭＭＳ等の不織布シートが更に好ましい。
【００５１】
［３］吸収性物品全体の構成：
本発明の吸収性物品は、図１Ａ〜図１Ｄに示す吸収性物品１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０とを備えるものである。
【００５２】
［３−１］吸収体：
吸収体は、着用者の尿を吸収し、保持するための部材である。吸収体は、着用者の尿や体液を吸収し保持する必要から、吸収性材料によって構成される。
【００５３】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュペーパー、吸収紙、親水化処理を行った不織布を用いることが好ましい。
【００５４】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００５５】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【００５６】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、アセテート又はこれらの複合繊維の他、パルプ等を挙げることができる。パルプとしては、カーリーセルロースファイバー等のけん縮繊維を好適に用いることができる。
【００５７】
吸収体の形状については特に制限はないが、従来の使い捨ておむつ、その他の吸収性物品において使用される形状、例えば、矩形状、砂時計型、ひょうたん型、Ｔ字型等を挙げることができる。
【００５８】
吸収体は、その全体が親水性シートによって被包されていることが好ましい。このような構成は、吸収体からＳＡＰが漏洩することを防止し、吸収体に形状安定性を付与することができるという利点がある。
【００５９】
通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は少なくとも股下部に介装され、この吸収体が前身頃や後身頃にまで及んでいてもよい。
【００６０】
［３−２］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００６１】
バックシートの配置位置については特に制限はない。吸収体で吸収された尿の漏れを防止するという観点から、少なくとも吸収体の存在する部分にバックシートが配置されていることが好ましい。
【００６２】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００６３】
なお、図２Ｂに示すように、バックシート２０の外表面側にカバーシート２４を貼り合わせてもよい。このカバーシートは、バックシートを補強し、バックシートの手触り（触感）を良好なものとするために用いられる。
【００６４】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００６５】
［３−３］立体ギャザー：
本発明の吸収性物品は、撥水性シートからなり、吸収体の両側に配置された少なくとも一対の立体ギャザーを備えていることが好ましい。
【００６６】
立体ギャザーは、着用者の排泄した尿の横漏れを防止するための部材であり、立体的に起立可能なように構成された防漏壁である。このような立体ギャザーを形成することにより、立体ギャザーが防漏壁となり、吸収性物品の脚周り開口部、側縁部等からの漏れ（いわゆる「横漏れ」）を有効に防止することができる。
【００６７】
立体ギャザーの構成は、従来の使い捨ておむつ、その他の吸収性物品に使用される構成を採用することができる。例えば、図１Ｂに示す吸収性物品１Ａ、図２Ｂに示す吸収性物品１Ｂのように、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。これらの例では、撥水性シート３２の折り返し部分に立体ギャザー伸縮材３６を挟み込んで固定した例である。
【００６８】
なお、立体ギャザーは、前記のように立体ギャザー用の撥水性シートを別途付設してもよいし、おむつを構成するシート材の一部によって形成してもよい。例えば、図２Ｂに示す吸収性物品１Ｂは、サイドシート１９を構成する撥水性シート３２の一部によって立体ギャザー２６ａ，２６ｂを形成した例である。撥水性シートは、カードエンボス、スパンボンド等の製法により製造された不織布であってもよいが、防水性の高いＳＭＳ、ＳＭＭＳ等の不織布シートが更に好ましい。
【００６９】
［３−４］止着テープ：
本発明の吸収性物品は、後身頃の左右の各側縁から延出するように配置された、前身頃と後身頃とを固定するための止着テープを備えていてもよい。即ち、本発明の吸収性物品には、いわゆるテープ型使い捨ておむつも含まれる。
【００７０】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【００７１】
例えば、図２Ａに示す吸収性物品１Ｂは、ファスニング部材として、メカニカルファスナー４６を用いた例である。止着テープ１１の先端近傍には、フック材４６ａが付設される一方、前身頃２には、ループ材４６ｂからなるフロントパッチ１３が付設されており、フロントパッチ１３に対して、止着テープ１１を止め付けることが可能なように構成されている。
【００７２】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００７３】
［３−５］各種伸縮材：
本発明の吸収性物品が使い捨ておむつである場合は、脚周り伸縮材を配置し、ウエスト周り伸縮材を配置することが好ましい。
【００７４】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００７５】
例えば、図１Ａに示す吸収性物品１Ａは、パンツ型使い捨ておむつであり、おむつの脚周り開口部のカーブに沿って曲線的に脚周り伸縮材４０を配置してレグギャザーを形成した例である。一方、図２Ａに示す吸収性物品１Ｂは、テープ型使い捨ておむつであり、おむつの長手方向に沿って、直線的に三本の脚周り伸縮材４０を配置してレグギャザーを形成した例である。この脚周り伸縮材４０は、糸ゴムや平ゴムによって構成される。
【００７６】
脚周り伸縮材は、例えば、図２Ａに示す吸収性物品１Ｂのように、立体ギャザー２６の起立線より外側の部分に、脚周り伸縮材４０が形成されていることが好ましい。このような構成とすると、立体ギャザーの十分な防漏効果を確保しつつ、股下部の装用感・装着感を向上させることができる。
【００７７】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００７８】
例えば、図１Ａ及び図１Ｂに示す吸収性物品１Ａは、おむつのウエスト周り開口部の開口端に沿って複数本のウエスト周り伸縮材４２を配置した例である。
【００７９】
一方、図２Ａに示す吸収性物品１Ｂは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８０】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００８１】
図１Ｂに示す吸収性物品１Ａは、ウエスト周り開口部と脚周り開口部との間の部分（即ち、着用者の腹周りに相当する部分）に、着用者の腹周りを取り囲むように複数本の腹周り伸縮材４４を配置した例である。
【００８２】
これらの伸縮材については、ギャザーの収縮の程度等を勘案した上で、構成材料、その材料の伸長率、固定時の伸長状態等を決定すればよい。
【００８３】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８４】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８５】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００８６】
［３−６］適用対象：
なお、本発明の吸収性物品は、パンツ型使い捨ておむつ、テープ型使い捨ておむつ等の使い捨ておむつの他、尿パッドにも適用することができる。
【００８７】
「尿パッド」とは、インナーパッド、補助パッドとも称され、専ら尿吸収を目的とする吸収パッドである。この尿パッドは、下着の内面や使い捨ておむつのトップシートの表面に載置した状態で用いられる。尿パッドは、使い捨ておむつと同様に、吸収体と、吸収体の表面を被覆するように配置されたトップシートと、吸収体の裏面を被覆するように配置されたバックシートとを備えるが、着用者の腰周りを被包する部分を持たない小型のパッド状に構成されることが一般的である。
【実施例】
【００８８】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【００８９】
〔実施例１〕
実施例１の吸収性物品として、テープ型使い捨ておむつを作製した。具体的な構造は、図２Ａ及び図２Ｂに示す吸収性物品１Ｂの構造とした。この吸収性物品１Ｂは、乳児用Ｌサイズのものであり、前後方向長さを４８５ｍｍ、後身頃６の幅（側縁６ａ，６ｂ間の長さ）を３２５ｍｍとした。
【００９０】
［１］トップシート：
トップシート１８は、最上層シート５４、第２層シート５６、第３層シート５８の３層からなる複層シートとした。なお、トップシート１８は、おむつの幅方向中央部のみに配置し、おむつのサイドフラップ９部分にはサイドシート１９を配置する構造とした。
【００９１】
［１−１］スキンケア性繊維（繊維Ａ）：
スキンケア性繊維５０は、ベースとなる繊維の表面に、リン脂質類似重合体を浸漬法により付着させて形成した。付着量は、繊維１００ｇに対して、リン脂質類似重合体を０．１ｇの比率とした。
【００９２】
なお、ベース繊維としては、芯部がＰＥＴ、鞘部がＰＥからなり、太さが２．２ｄｔｅｘのＰＥＴ／ＰＥ芯鞘繊維を用いた。リン脂質類似重合体としては、ホスホリルコリン基を有するメタクリル酸エステル系ポリマーを主成分とする繊維加工剤（日本油脂社製「リピジュア（登録商標）」）を用いベース繊維に対して０．１質量％付着させた。
【００９３】
［１−２］親水性繊維（繊維Ｂ１）：
親水性繊維５２は、ベースとなる繊維の表面に親水化剤を浸漬法により付着させて形成した。付着量は、繊維１００ｇに対して、親水化剤を０．６ｇの比率とした。なお、ベース繊維としては、前記ＰＥＴ／ＰＥ芯鞘繊維を用いた。親水化剤としては、アルキルスルフォネートナトリウム塩を用いベース繊維に対して０．６質量％付着させた。
【００９４】
［１−３］親水性繊維（繊維Ｂ２）：
親水性繊維（繊維Ｂ２）は、ベースとなる繊維の表面に親水化剤を浸漬法により付着させて形成した。付着量は、繊維１００ｇに対して、親水化剤を０．６ｇの比率とした。
【００９５】
なお、ベース繊維としては、芯部がＰＥＴ、鞘部がＰＥからなり、太さが３．３ｄｔｅｘのＰＥＴ／ＰＥ芯鞘繊維を用いた。前記ＰＥＴ／ＰＥ芯鞘繊維を用いた。親水化剤としては、前記アルキルスルフォネートナトリウム塩を用いベース繊維に対して０．６質量％付着させた。
【００９６】
［１−４］トップシートの形成：
まず、前記親水性繊維（繊維Ｂ２）をカーディングし、ネットコンベアー上に、第３層シート５８となるカードウエブＡ（目付け７ｇ／ｍ２）を形成した。前記カードウエブＡの上面に、前記親水性繊維（繊維Ｂ２）をカーディングして、第２層シート５６となるカードウエブＢ（目付け７ｇ／ｍ２）を形成し、２層積層シートとした。更に、前記カードウエブＢの上面に前記スキンケア性繊維（繊維Ａ）と前記親水性繊維（繊維Ｂ１）を５０対５０に混合した混合繊維をカーディングして、最上層シート５４となるカードウエブＣ（目付け７ｇ／ｍ２）を形成し、３層積層シートとした。その後、この３層積層シートに熱風を吹き付けることで繊維同士を熱融着させ、目付け２１ｇ／ｍ２の一体的なエアースルー不織布とした。このエアースルー不織布をトップシート１８として用いた。
【００９７】
このトップシート１８は、最上層シート５４におけるスキンケア性繊維（繊維Ａ）と親水性繊維（繊維Ｂ１）の質量比が５０：５０、トップシート１８全体におけるスキンケア性繊維（繊維Ａ）と親水性繊維（繊維Ｂ１，Ｂ２）の質量比が１７：８３であった。
【００９８】
［１−５］サイドシート：
サイドシート１９としては、通気撥水性シートを用いた。具体的には、ポリプロピレン樹脂製で、目付けが１８ｇ／ｍ２のスパンポンド不織布を用いた。
【００９９】
［２］その他の構成：
吸収体２２は、おむつ１枚当たりフラッフパルプ１０ｇ、ＳＡＰ１０ｇを含む吸収体とし、その全体をティシュにより包み込んだ。吸収体２２は矩形状とし、トップシート１８とバックシート２０の間に挟み込み、その周縁部を封着することによって、トップシート１８とバックシート２０との間に介装した。
【０１００】
バックシート２０は、微細な孔が多数形成された透湿度５０００ｇ／ｍ２・２４ｈである微多孔性ポリエチレンフィルムによって構成した。そして、バックシート２０の外表面側にはポリエチレン製の不織布からなるカバーシート２４を貼り合わせた。
【０１０１】
止着テープ１１は、後身頃６の左右の側縁６ａ，６ｂに配置した。この止着テープ１１は、不織布からなる基材と基材の表面に付設されたメカニカルファスナー４６のフック材４６ａとからなるものとした。一方、前身頃２には、メカニカルファスナー４６のループ材４６ｂからなるフロントパッチ１３を配置し、フック材４６ａを固定することが可能なように構成した。
【０１０２】
立体ギャザー２６は、おむつの前後方向に向かって直線的に一対の立体ギャザー２６ａ，２６ｂを付設した。この立体ギャザー２６は撥水性シートからなり、サイドシート１９と一体的に構成された内倒し式の立体ギャザーである。そして、立体ギャザー２６の高さ（下端縁から上端縁までの長さ）は４５ｍｍとした。また、立体ギャザー２６は、吸収性物品１Ｂの長手方向全域をカバーする長さに形成されている。
【０１０３】
立体ギャザー伸縮材３６は立体ギャザー２６の上端縁近傍に２本ずつ配置した。立体ギャザー伸縮材３６は、撥水性シート３２の自由端側（トップシート１８に固定されていない側の端部）を折り返し、その折り返し部分に挟み込むように配置した。この立体ギャザー伸縮材３６は、２８０％の伸張率で撥水性シート３２に固定した。
【０１０４】
脚周り伸縮材４０は、おむつの長手方向に沿って、立体ギャザー２６の下端縁（固定端、起立線）より外側の部分に、直線的に三本ずつ配置した。また、ウエスト周り伸縮材４２は、おむつの後身頃６の端縁に沿って帯状の伸縮材を配置している。この帯状の伸縮材は、ウレタンフォームによって構成した。
【０１０５】
〔比較例１〕
比較例１の吸収性物品として、テープ型使い捨ておむつを作製した。具体的な構造は、トップシートの構造を以下のように変更したことを除き、実施例１の吸収性物品と同一の構造とした。
【０１０６】
トップシートは、実施例１の吸収性物品で用いたトップシートの最上層シートがないもの、即ち、第２層シートと第３層シートのみからなる２層積層シートとした。トップシート以外については、実施例１の吸収性物品と同様に構成した。
【０１０７】
〔評価方法〕
乳児５０名に、実施例１の吸収性物品及び比較例１の吸収性物品を合計２０枚ずつ着用させ、かぶれの発生について対比評価した。評価は、乳児の母親に、吸収性物品を使用した後のかぶれ（臀部が赤くなった、かぶれた等）の発生具合をもとに、実施例１と比較例１の吸収性物品のかぶれ難さを対比評価させた。その評価結果を表１に示す。
【０１０８】
【表１】
2009254662.tif 000003
【０１０９】
〔評価結果〕
表１に示すように、実施例１の吸収性物品が、比較例１の吸収性物品に比して、かぶれが発生し難いことを確認できた。
【産業上の利用可能性】
【０１１０】
本発明の吸収性物品は、乳幼児用又は介護を必要とする高齢者や障害者等の成人用の使い捨ておむつ、尿パッド等の吸収性物品に利用することができる。特に、スキンケアに配慮した吸収性物品として好適に用いることができる。
【図面の簡単な説明】
【０１１１】
【図１Ａ】本発明の吸収性物品を展開し、トップシート側から見た状態を示す概略平面図である。
【図１Ｂ】図１Ａに示す吸収性物品のＡ−Ａ’断面を示す概略断面図である。
【図１Ｃ】図１Ａに示す吸収性物品を組み立てて正面側から見た状態を示す概略斜視図である。
【図２Ａ】本発明の吸収性物品の別の実施形態を示す一部切り欠き平面図であり、吸収性物品を展開し、トップシート側から見た状態を示す図である。
【図２Ｂ】図２Ａに示す吸収性物品のＡ−Ａ’断面を示す概略断面図である。
【符号の説明】
【０１１２】
１Ａ，１Ｂ：吸収性物品、２：前身頃、２ａ，２ｂ：側縁、４：股下部、６：後身頃、６ａ，６ｂ：側縁、８：接合部、９：サイドフラップ、１０：ウエスト周り開口部、１１：止着テープ、１２，１２ａ，１２ｂ：脚周り開口部、１３：フロントパッチ、１４：吸収性本体、１６：外装部材、１８：トップシート、１９：サイドシート、２０：バックシート、２２：吸収体、２４：カバーシート、２６，２６ａ，２６ｂ：立体ギャザー、３２，３２ａ，３２ｂ：撥水性シート、３６，３６ａ，３６ｂ：立体ギャザー伸縮材、４０：脚周り伸縮材、４２：ウエスト周り伸縮材、４４：腹周り伸縮材、４６：メカニカルファスナー、４６ａ：フック材、４６ｂ：ループ材、５０：スキンケア性繊維、５２：親水性繊維、５４：最上層シート、５６：第２層シート、５８：第３層シート。
【図１Ａ】
2009254662.tif 000004
【図１Ｂ】
2009254662.tif 000005
【図１Ｃ】
2009254662.tif 000006
【図２Ａ】
2009254662.tif 000007
【図２Ｂ】
2009254662.tif 000008